(57)【特許請求の範囲】
【請求項１】
前輪と後輪との間に配備された運転座席の後方下部にエンジン及びマフラーが設けられた作業車であって、
前記エンジンの冷却用ラジエータを前記運転座席の下側でエンジンから機体横外側方に離れた位置に配備し、
前記マフラーをエンジンの上部前側に近接した箇所に配置し、
前記エンジン及びマフラーよりも機体前方側で、かつ前記ラジエータを配備した機体横外側方とは反対側の機体横外側方寄り箇所の運転座席下側に、前記運転座席下側に滞留する熱気を運転座席下側空間の外側へ排出するための滞留熱排出用ファンを、前記ラジエータとマフラーとの間に形成される空間に向けて、後方斜め横向きに送風するように配設してあることを特徴とする作業車。
【請求項２】
ラジエータと滞留熱排出用ファンとの機体左右方向での中間位置における運転座席下側にバッテリを配置し、
前記滞留熱排出用ファンにおける送風方向を、前記バッテリよりも前記ラジエータとは反対側の機体他側方側から、バッテリとマフラーとの間に向かうように設定してある請求項１記載の作業車。
【請求項３】
ラジエータは後輪との間に前後方向での間隔を隔てて後輪の前方側に配設され、
滞留熱排出用ファンにおける送風方向を、前記ラジエータとは反対側の機体他側方側から、前記ラジエータと前記後輪との間に向かうように設定してある請求項１または２記載の作業車。
【請求項４】
ラジエータの冷却用ファンによる送風方向を、機体横外方側から機体内方側への吸い込み方向で、かつ、滞留熱排出用ファンによる排風方向とは逆の機体横外側方に向かう後方斜め横向きに設定してある請求項１〜３のいずれか一項記載の作業車。
【発明の詳細な説明】
【技術分野】
【０００１】
本発明は、前輪と後輪との間に運転座席が配備され、その運転座席の後方下部にエンジンが設けられた作業車に関する。
【背景技術】
【０００２】
上記のように、前輪と後輪との間に運転座席を備えて、その運転座席の後方側にエンジンを備えた作業車としては、従来より下記［１］及び［２］に記載のものが知られている。
［１］  座席支持体を兼ねる遮蔽カバーと運転座席の横側部に位置する車体外板とを備えて、操縦者が位置する運転部空間と、エンジンが搭載される後方下部空間とを区画するように構成されている。そして、ラジエータに対する外気の取り込みは、ラジエータの吸気面に対向配置した車体外板に吸気用スリットを形成することによって車体の横側方から吸い込むように構成してある（特許文献１参照）。
［２］  運転座席の後方側にエンジンボンネットを設け、エンジンボンネット内で空冷エンジンが設けられる空間とマフラーが設けられる空間とを区画するようにマフラーカバーを設け、エンジンボンネットの上方側に設けた開口部分から吸い込んだ外気を、エンジン部分を経由してマフラー側へ送風する冷却ファンを備えた構造のもの（特許文献２参照）。
【０００３】
【特許文献１】特開２００５−１７８７８２号公報（段落番号〔００１８〕、及び、図２、図３）
【特許文献１】特開２００６−８８５２４号公報（段落番号〔０００８〕、〔０００９〕、及び、図１、図３、図４）
【発明の開示】
【発明が解決しようとする課題】
【０００４】
上記［１］に記載の技術では、運転座席下の空間をラジエータの配設用空間として利用し、作業車の配置スペースを有効利用できるものであるとともに、ラジエータからの排風が運転室側へ入り込むことを、座席支持体を利用して遮断し、しかもそのラジエータからの排風をエンジン冷却にも有効利用している点で有用なものである。
しかしながら、この構造のものでは、マフラーを単に機体後方側へ延設しているに過ぎない。したがって、近年のようにガソリンエンジンを採用し、かつ厳しい排ガス規制の条件を満たすために、排気ガスと高温で接触させることが必要な触媒をマフラー内に設置する構成を採用した場合、前記マフラーの配設位置を、エンジンの廃熱を効率良くマフラー側へ伝熱できるように、高温域であるエンジン上部近く位置に変更する必要がある。
【０００５】
ところが、このような配置構成を採用すると、次のような問題がある。つまり、運転座席を前輪と後輪との間に配置し、運転座席の後方側にエンジン及びマフラーを配備すると、小型の作業車では運転座席と後車軸との間にあまり空間的余裕がなく、したがって、運転座席の下側に接近して高温のエンジンの上部、もしくは高温のマフラーが存在することになり、運転座席側が熱くなりすぎる虞がある。
このような問題を解決するには、運転座席の座席支持板側に強力な断熱構造を設けるとか、マフラーを運転座席から遠く離れた後方位置に配備して、そのマフラーに対する別途加熱手段を設けるなどの構造を採用することも考えられるが、何れによっても構造の複雑化や高コスト化を免れないという問題がある。
【０００６】
また、上記［２］に記載の技術では、エンジン配設箇所とマフラー配設箇所とが別空間
に区画されてしまうものであるから、前述したような、マフラーの配設位置を高温域であるエンジン上部近く位置にして、エンジンの廃熱を効率良くマフラー側へ伝熱できるようにする、ということ自体が実現不可能である。
【０００７】
本発明の目的は、マフラー内部の触媒に対する熱の伝達を良好に行えながら、運転座席側への熱影響を少なくできるようにすることにある。
【課題を解決するための手段】
【０００８】
上記課題を解決するために講じた本発明の技術手段は、次のとおりである。
〔解決手段１〕
本発明は、請求項１の記載のように、前輪と後輪との間に配備された運転座席の後方下部にエンジン及びマフラーが設けられた作業車において、前記エンジンの冷却用ラジエータを前記運転座席の下側でエンジンから機体横外側方に離れた位置に配備し、前記マフラーをエンジンの上部前側に近接した箇所に配置し、前記エンジン及びマフラーよりも機体前方側で、かつ前記ラジエータを配備した機体横外側方とは反対側の機体横外側方寄り箇所の運転座席下側に、前記運転座席下側に滞留する熱気を運転座席下側空間の外側へ排出するための滞留熱排出用ファンを、前記ラジエータとマフラーとの間に形成される空間に向けて、後方斜め横向きに送風するように配設してあることを特徴とする。
【０００９】
〔作用及び効果〕
上記構成によれば、次の作用および効果がある。
【００１０】
【００１１】
すなわち、運転座席下側に滞留する熱気を運転座席下側空間の外側へ排出するための滞留熱排出用ファンを備えているので、エンジン側から運転座席への熱気による熱伝達を抑制することができる利点がある。
【００１２】
【００１３】
また、エンジンの冷却用ラジエータを運転座席の下側でエンジンから機体横外側方に離れた位置に配備しているので、座席下側空間をラジエータの配設用空間として利用し、機体の前後方向長さを短縮する上で有効である。
また、マフラーをエンジンの上部前側に近接した箇所に配置しているので、エンジン側の熱をマフラーに対して良好に伝達することができ、触媒の反応を高める上で有効である。
そして、滞留熱排出用ファンは、エンジン及びマフラーよりも機体前方側で、かつ前記ラジエータを配備した機体横外側方とは反対側の機体横外側方寄り箇所の運転座席下側に、ラジエータとマフラーとの間に形成される空間に向けて、後方斜め横向きに送風するように構成されているので、マフラーに直接接触する風量は比較的少なくしながら、運転座席下側空間の熱気を、ラジエータとマフラーとの間に形成される空間から外部へ排出することができる。
すなわち、滞留熱排出用ファンからの送風量の大部分がマフラーやエンジンに直接的に接触するようにマフラーに向けて送風すると、エンジン側からの廃熱を効率良く受けられるようにエンジン上部に近接させてマフラーを設けていても、そのマフラー周辺の熱気が、滞留熱排出用ファンからの送風で取り除かれ、熱伝達の効率が低下する虞があるが、本発明では、上述のように、滞留熱排出用ファンの送風方向をラジエータとマフラーとの間に形成される空間に向けてある。したがって、滞留熱排出用ファンからの送風がマフラーに直接的に接触する度合いは少なくしながら、排気抵抗の少ないラジエータとマフラーとの間に形成される空間に向けて効率良く座席下側空間の熱気を排出することができる。
これによって、エンジン側からの廃熱を効率良くマフラー側に伝えられる状態を保ちながら、運転座席側への熱伝達の抑制を簡単な構造の付加によって回避することができる利点がある。
【００１４】
〔解決手段２〕
本発明の作業車における第２の解決手段では、請求項２の記載のように、ラジエータと滞留熱排出用ファンとの機体左右方向での中間位置における運転座席下側にバッテリを配置し、前記滞留熱排出用ファンにおける送風方向を、前記バッテリよりも前記ラジエータとは反対側の機体他側方側から、バッテリとマフラーとの間に向かうように設定してあることを特徴とする。
【００１５】
〔作用及び効果〕
上記のように構成された解決手段２にかかる本発明の作業車では、前記解決手段１にかかる発明と同等な作用効果の他に、次の作用効果をも奏する。
すなわち、ラジエータと滞留熱排出用ファンとの機体左右方向での中間位置における運転座席下側にバッテリが配置されており、バッテリとマフラーとの間に向かうように滞留熱排出用ファンにおける送風方向を設定してあるので、運転座席下側空間をバッテリ配設用空間として利用することができる。また、これとともに、ラジエータの冷却ファンによる送風と前記滞留熱排出用ファンにおける送風とが互いに衝突してスムーズな熱気排出が妨げられることを、中間位置に配設されるバッテリが送風ガイド的な役割を果たすことによって回避し易い。
〔解決手段３〕
本発明の作業車における第３の解決手段では、請求項３記載のように、ラジエータは後輪との間に前後方向での間隔を隔てて後輪の前方側に配設され、滞留熱排出用ファンにおける送風方向を、前記ラジエータとは反対側の機体他側方側から、前記ラジエータと前記後輪との間に向かうように設定してあることを特徴とする。
【００１６】
〔解決手段４〕
本発明の作業車における第４の解決手段では、請求項４の記載のように、ラジエータの冷却用ファンによる送風方向を、機体横外方側から機体内方側への吸い込み方向で、かつ、滞留熱排出用ファンによる排風方向とは逆の機体横外側方に向かう後方斜め横向きに設定してあることを特徴とする。
【００１７】
〔作用及び効果〕
上記のように構成された解決手段４にかかる本発明の作業車では、前記解決手段１〜３にかかる発明と同等な作用効果の他に、次の作用効果をも奏する。
すなわち、滞留熱排出用ファンが存在する側とは機体左右方向で反対側に位置するラジエータの冷却用ファンによる送風方向を、単に機体外方から内方へ向けるのではなく、滞留熱排出用ファンによる排風方向とは逆の位置からではあるが後方斜め横向きに設定してある。このことにより、滞留熱排出用ファンによる送風方向と、ラジエータの冷却用ファンによる送風方向は、共に後方斜め横向きで後方向きの分力を有した状態であるので、互いに衝突しても共に後方側へ無理なく排出され、熱気の排出を効率よく行える。
【発明を実施するための最良の形態】
【００１８】
以下、本発明の実施の形態の一例を図面の記載に基づいて説明する。
〔作業車の全体構成〕
図１乃至図３に示すように、左右一対の操向自在なタイヤ車輪で構成された前輪１１と、左右一対のタイヤ車輪で構成された後輪１２とを、車体フレーム１の前後に振り分けて配置し、その前後輪１１，１２の間に、前後輪１１，１２を駆動する原動部４と、運転座席５および操縦操作部６を備えた運転部７とを設けてある。そして、前記車体フレーム１の後部には、荷台８を車体後部に位置する横向きの水平方向軸芯ｘまわりで上下揺動自在に装備して作業車を構成してある。
【００１９】
車体フレーム１は、図２に示す如く、左右一対の角鋼管材を主材として前後に長く延設された車体メインフレーム１０、それらの左右の車体メインフレーム１０，１０同士にわたって設けられた座席支持枠５０、及び平板状の運転部フロア７０などによって構成されている。
【００２０】
〔運転部の構成〕
運転部７においては、左右の車体メインフレーム１０上に運転部フロア７０が設けられ、その前方側にステアリングホイール６０を備えた操縦操作部６が配設され、後方側に運転座席５が配設されている。
【００２１】
運転座席５は、左右の車体メインフレーム１０上に立設された座席支持枠５０の前向き面及び上向き面にわたる遮蔽壁５１を備えるとともに、その遮蔽壁５１の上向き面５１ａの上側に着座シート５２を設置し、前記座席支持枠５０の後方側における立ち上がり部分５１ｂに背当てシート５３を固定して構成されている。
【００２２】
図１，２、および図５に示すように、運転座席５の座席支持枠５０の下側空間のうち右横側部近く位置には、ラジエータ４２が座席支持枠５０の下側空間に潜り込む状態で配置され、座席支持枠５０の下側空間のうち左横側部近く位置には、燃料タンク４６が配置されている。
上記ラジエータ４２における熱交換部を内蔵するラジエータ本体４３の吸気面４３ａと、座席支持枠５０の右横側方箇所における前記遮蔽壁５１の右横側面５１ｃとの間には、外気吸入用の導風経路が形成されるように、所定の間隙ｓを形成してあり、ラジエータ４２の背面側（機体内方側）に配置したラジエータファン４４の吸引作用に伴って、座席支持台５０の下方側から、および後方側から外気が導入できるように構成されている。
【００２３】
また、この座席支持枠５０の下側空間内には、燃料タンク４６側に寄せて、電装品ボックス４５や、後述する滞留熱排出用ファン２が配置されているとともに、バッテリ４７も配設されている。
【００２４】
〔原動部の構成〕
前記原動部４は、運転座席５の後方下部に配設されていて、水冷式エンジン４０と、トランスミッションケース４１とを左右に振り分け配置して、これらを前後に並べる場合に比べて前後長を短縮してあり、トランスミッションケース４１からの出力が後輪１２、および前輪１１に伝達されるように構成されている。
【００２５】
前記原動部４には、水冷式エンジン４０がクランク軸軸心を機体左右方向に沿わせた横置き姿勢で左側に位置し、トランスミッションケース４１が右側に位置する状態で、左右に並置されている。そして、これらの水冷式エンジン４０およびトランスミッションケース４１は、平面視で前記燃料タンク４６およびラジエータ４２の左右間隔幅内で、その機体後方側に配設されている。
すなわち、図２に示すように、エンジン４０およびトランスミッションケース４１は、前記燃料タンク４６およびラジエータ４２に対して、前後方向でも左右方向でも平面視で位置ずれした状態に配置されていて、原動部４全体の前後方向寸法を短くするように工夫されている。
【００２６】
図２及び図４に示すように、前記エンジン４０の上部前側におけるシリンダ室に相当する部位の横側部には、マフラー本体３０の筒軸心方向を横向きにしたマフラー３がエンジン４０に接近した状態で配置されている。このマフラー３は、マフラー内部のメタルハニカムに、Ｐｔ（白金）、Ｐｄ（パラジウム）、Ｒｈ（ロジウム）などの金属元素を含む溶液をコーティングして触媒としたものであり、高温で反応して排ガス中の有害成分を除去する機能を高めてある。
【００２７】
上記のように、マフラー３をエンジン上部に接近させることにより、最も放熱量の多いシリンダ室近くの熱をマフラー３側へ伝達し易くなるので、高温で触媒を反応させる必要があるマフラー３の有害成分除去機能を、エンジン４０の廃熱を利用して高めることができる。また、このマフラー３の排ガス吐出管３１の終端部は機体後方側へ延出されている。
尚、図４における符号４８はオルタネータ、符号４９はスタータモータである。
【００２８】
〔滞留熱排出に関する構成〕
図２乃至図５に示すように、エンジン４０の上部前側に接近させて配置したマフラー３は、運転座席５の後端に対しても、かなり接近した状態で配置されている。しかも、このマフラー自体が、前述のように高温で所期の機能を発揮するものであるから、接近した箇所の運転座席５側もかなりの高温に晒されることになる。
このため、本発明では、前述した滞留熱排出用ファン２を次のように配置している。
【００２９】
図２乃至図５に示すように、前記ラジエータ４２を配備した機体横外側方とは反対側の機体横外側方寄り箇所の運転座席５の下側空間入り込ませて、かつ、マフラー３が配備された高さと同程度の対機体高さ位置に位置させて、運転座席５の下側空間に設けた取付板２０を介して、滞留熱排出用ファン２を設けてある。
この滞留熱排出用ファン２は、その送風方向の中心線Ｌ１が、平面視では図２に示すように、前記マフラー３とラジエータ４２との間に形成される空間に向かうように、さらに限定的に云えば、マフラー３とバッテリ４７との間の通路を通って前記マフラー３とラジエータ４２との間に形成される空間に向かうように後方斜め横向きに設定されている。
したがって、滞留熱排出用ファン２による送風量の分布は、前記中心線Ｌ１近くが最大となり、しかもその中心線Ｌ１近くには風の通過を阻害する装置類が存在しないように空間を設けてあるので、滞留熱排出用ファン２によって座席下側空間からの熱気の排出を効率良く行い易い。
【００３０】
そして、前記滞留熱排出用ファン２による送風は、前記中心線Ｌ１の方向に向けられてはいるが、必然的に風の広がりがあるので、マフラー３に対しても滞留熱排出用ファン２による風がある程度は吹き付けられることになる。しかしながら、前述のように中心線Ｌ１から外れた位置にあるマフラー３に対する送風量は、前記中心線Ｌ１をマフラー３に向けて滞留熱排出用ファン２による送風を行う場合に比べれば、比較的少なく、したがって、その送風によってマフラー３周りの熱気が必要以上に取り除かれてしまう虞は少ない。
つまり、この滞留熱排出用ファン２による送風は、マフラー３を冷却するのが目的ではなく、運転座席５側に対してマフラー３側の熱気が伝えられることを抑制するのが目的であり、逆にマフラー３自体は、十分に高温に維持しておく必要がある。
【００３１】
滞留熱排出用ファン２とは反対側の機体左右方向端部に設けられているラジエータ４２は、その冷却用のラジエータファン４４の送風方向の中心線Ｌ２が、前記滞留熱排出用ファン２による排風方向とは逆の機体横外側方に向かう後方斜め横向きに設定してあり、前記滞留熱排出用ファン２による送風方向の中心線Ｌ１と交差するように設定されている。
このように、ラジエータファン４４による送風方向の中心線Ｌ２も後方斜め横向きに設定しておくと、滞留熱排出用ファン２側からの送風と衝突した際に後方向きの分力が大きく、スムースに両方の風が後方側へ流れ易くなる。また、バッテリ４７の側面と衝突した風も後方向きにスムーズに流れ易くなる。
【００３２】
〔制御系〕
上記ラジエータファン４４と滞留熱排出用ファン２とは互いに同期して作動するように、制御装置９によって作動を制御されている。
この制御装置９は、図６に示すように、マイクロコンピュータを用いた制御ユニット９０を備える制御回路に、ラジエータファン駆動用モータ９１、及びそのモータ駆動用のラジエータファンリレー９２、滞留熱排出用ファン駆動用モータ９３、及び、そのモータ駆動用の滞留熱排出用ファンリレー９４、を介装してある。また、この制御回路には、スタータスイッチを含むメインスイッチ９５、スタータモータ９６、スタータリレー９７、安全スイッチ９８、バッテリ４７、及びヒューズ９９等を組み込んである。
【００３３】
したがって、メインスイッチ９５がＯＮ作動すると、制御ユニット９０の制御プログラムが起動し、図７に示すように、ファン駆動制御ルーチンが作動する。
このファン駆動制御ルーチンでは、エンジンの冷却水温度を検出する冷却水温センサー（図外）での水温検出結果に基づいて、ラジエータファン４４、及び滞留熱排出用ファン２の作動を制御するものであり、下記［１］〜［５］のように制御する。
【００３４】
［１］  冷却水温センサーの検出結果を得る（ステップ＃１）。
［２］  水温が規定温度ｘ℃以上であるか否かを判断する（ステップ＃２）。
［３］  規定温度ｘ℃以上であれば、ラジエータファン４４、及び滞留熱排出用ファン２を駆動する（ステップ＃３，＃４）。
［４］  規定温度ｘ℃未満であれば、ラジエータファン４４、及び滞留熱排出用ファン２の駆動を停止する（ステップ＃５，＃６）。
［５］  メインスイッチ９５がＯＦＦであるか否かを判断し、ＯＦＦでなければ、上記ステップ＃１〜＃６を繰り返えし、ＯＦＦならファン駆動制御を終了してメインルーチンに戻る（ステップ＃７）。
【００３５】
〔他の実施形態の１〕
上記の最良の実施形態では、エンジン４０をクランク軸軸心方向が機体左右方向となる横置きで配置したが、クランク軸軸心方向が機体前後方向となる縦置きで配置しても良い。また、マフラー３も、マフラー本体の筒軸心方向が機体左右方向となる横置き姿勢で配置したが、これを前後方向に向けた縦置き姿勢で配置してもよい。
【００３６】
〔他の実施形態の２〕
上記の最良の実施形態では、ラジエータファン４４を走行機体の右横側方へ配置し、滞留熱排出用ファン２を走行機体の左横側方へ配置した例を示したが、これに限らず、左右逆に配置したものであっても差し支えない。
【００３７】
【００３８】
【図面の簡単な説明】
【００３９】
【図１】作業車全体の側面図
【図２】運転座席の下部と原動部とを開放した状態の作業車全体の平面図
【図３】座席支持枠と原動部近くの車体フレーム部分を示す斜視図
【図４】運転座席の下部と原動部との位置関係を示す断面図
【図５】運転座席の下部を示す断面図
【図６】電気系統を示す回路図
【図７】滞留熱排出用ファンの駆動制御状態を示すフローチャート
【符号の説明】
【００４０】
１            車体フレーム
２            滞留熱排出用ファン
３            マフラー
５            運転座席
１１          前輪
１２          後輪
４０          エンジン
４２          ラジエータ
４４          ラジエータファン
４７          バッテリ
【図１】
0005022303.tif 000002
【図２】
0005022303.tif 000003
【図３】
0005022303.tif 000004
【図４】
0005022303.tif 000005
【図５】
0005022303.tif 000006
【図６】
0005022303.tif 000007
【図７】
0005022303.tif 000008